(57)【要約】【課題】リモコンと表示パネルに着脱機構を設け、両者を着脱可能とすることによって操作性と携帯性の向上を図ることができる撮像システムを提供すること。【解決手段】被写体を撮像するカメラ部及び該カメラ部で撮像した画像を記録再生するための記録再生部を有する撮像装置と、該撮像装置との通信を可能にする通信手段及び前記撮像装置を遠隔操作するための操作手段を有するリモコンユニットと、前記撮像装置との通信を可能にする通信手段及び前記撮像装置にて撮影された画像を表示するための表示手段を有する撮像シスムにおいて、前記リモコンユニットと前記表示ユニットが着脱可能となるような着脱機構を設ける。【選択図】図７
2007060268.tif 000002
【特許請求の範囲】
【請求項１】
被写体を撮像するカメラ部及び該カメラ部で撮像した画像を記録再生するための記録再生部を有する撮像装置と、該撮像装置との通信を可能にする通信手段及び前記撮像装置を遠隔操作するための操作手段を有するリモコンユニットと、前記撮像装置との通信を可能にする通信手段及び前記撮像装置にて撮影された画像を表示するための表示手段を有する撮像シスムにおいて、
前記リモコンユニットと前記表示ユニットが着脱可能となるような着脱機構を設けたことを特徴とする撮像システム。
【請求項２】
前記リモコンユニットは前記通信手段のための有線ケーブルを有し、前記表示ユニットは前記通信手段のための有線ケーブルを有するとともに、前記表示部の背面に前記リモコンユニットの有線ケーブルよりも幅の太い溝形状と、前記リモコンユニットの有線ケーブルを保持するための保持機構が設けられたことを特徴とする請求項１記載の撮像システム。
【請求項３】
前記リモコンユニットの有線ケーブルは、前記表示ユニットの有線ケーブルと同一方向になるように前記溝形状を通過するとともに、前記保持機構によって保持されることを特徴とする請求項２記載の撮像システム。
【発明の詳細な説明】
【技術分野】
【０００１】
本発明は、撮像装置で使用し、撮像装置とは別体であるリモコンユニットと表示ユニットを備える撮像システムに関する。
【背景技術】
【０００２】
従来より、三脚に固定してパン棒を用いて撮影を行うことのできる撮像装置がある。このような撮影を行う場合、通常は図１０に示すように左手でレンズのフォーカスリングを操作し、右手でパン棒の操作を行う。よって、パン棒の先端に撮像装置のズーム操作等を行うことができる操作ユニットがあると、ズーム等の操作も同時に行うことができ、操作性が向上するので、このような操作ユニットに対するニーズは数多くある。
【０００３】
又、これとは別に、撮影者が撮像装置から離れた場所において遠隔操作を行うことができるリモコンに対してもニーズは多い。そこで、これら２つのニーズを同時に満たすために、撮像装置の遠隔操作が可能で、且つ、パン棒に対して着脱可能な機構を設けたリモコンがある。
【０００４】
しかし、上記リモコンで遠隔操作を行う場合、操作位置によっては撮像装置本体に設けられた表示部の画像が見えない場合があるため、遠隔操作中はどのような画像が撮影できているのかが確認しづらいという問題があった。
【０００５】
そこで、特許文献１では、撮影者がどの位置から撮像装置の遠隔操作を行っても撮影中の画像を確認できるようにリモコンに表示パネルを設け、撮像装置本体からの撮影画像をその表示パネルに表示することができる表示パネル付きリモコンユニットが提案されている。
【特許文献１】特開平７−０３８７９７号公報
【発明の開示】
【発明が解決しようとする課題】
【０００６】
しかし、リモコンと表示パネルを一体化するとリモコン本体が大型化してしまう。このことから、例えば短いパン棒に本体を取り付けて操作する場合等には、使用しない表示パネル部分が操作の妨げとなってしまう恐れがある。又、表示パネルを必要としない撮影の際にも常にリモコンと表示パネルを一緒に持ち歩かなければならないので携帯性が悪いという問題がある。
【０００７】
本発明はこのような問題に鑑みてなされたもので、その目的とする処は、リモコンと表示パネルに着脱機構を設け、両者を着脱可能とすることによって操作性と携帯性の向上を図ることができる撮像システムを提供することにある。
【課題を解決するための手段】
【０００８】
上記目的を達成するため、本発明は、被写体を撮像するカメラ部及び該カメラ部で撮像した画像を記録再生するための記録再生部を有する撮像装置と、該撮像装置との通信を可能にする通信手段及び前記撮像装置を遠隔操作するための操作手段を有するリモコンユニットと、前記撮像装置との通信を可能にする通信手段及び前記撮像装置にて撮影された画像を表示するための表示手段を有する撮像シスムにおいて、前記リモコンユニットと前記表示ユニットが着脱可能となるような着脱機構を設けたことを特徴とする。
【発明の効果】
【０００９】
本発明によれば、遠隔操作中でも撮影している画像を確認でき、且つ、操作性、携帯性に優れた撮像システムを提供することができる。
【発明を実施するための最良の形態】
【００１０】
以下に本発明の実施の形態を添付図面に基づいて説明する。
【００１１】
図１に本発明の構成図を示す。本発明の構成は大きく分けて撮像装置１、リモコンユニット２、表示ユニット３より成る。撮像装置１は撮像部４、記録再生部５、表示部６、制御部７、操作部８及びリモコンユニット２や表示ユニット３との接続を行うためのインタフェース９で構成される。リモコンユニット２は、操作部１０とインタフェース１１から成り、操作部１０を操作することにより発生した電気信号は、インタフェース１１を通じて撮像装置１へと送信され、制御部７にて処理される。表示ユニット３は、表示部１２及びインタフェース１３から成り、撮像装置１の記録再生部５よりインタフェース９を通じて送信されてきた映像信号を表示部１２に表示する。
【００１２】
次に、リモコンユニット２と表示ユニット３の詳細について外観図を用いて説明する。図２及び図３にリモコンユニットの正面図及び背面図を示す。
【００１３】
リモコンユニット２には、記録釦１４、ズーム釦１５等の各種操作釦が設けられている。又、リモコンユニット２は、ケーブル１６を介して撮像装置１と接続され、リモコンユニット２による遠隔操作が可能となる。１７はリモコンユニット２をパン棒１８に取り付けるための取り付け機構である。リモコンユニット２をパン棒１８に取り付ける場合は、上記取り付け機構１７にパン棒１８を差し込み、左右の取り付けネジ１９ａ，１９ｂを締めてリモコンユニット２をパン棒１８に固定する。２０は表示ユニットへの取り付け部であり、リモコンユニット２はこの部分において表示ユニット３と嵌合し、取り付けられる。
【００１４】
図４及び図５に表示ユニット３の正面図及び背面図を示す。
【００１５】
表示ユニット３にはＴＦＴ液晶等の表示パネル２１が内蔵されている。又、表示ユニット３は、ケーブル２２を介して撮像装置１と接続され、現在撮影している画像データを表示ユニット３に表示させることができる。
【００１６】
２３はリモコンユニット２の取り付け部２０のための取り付け穴であり、該取り付け穴２３の内側には図６の拡大図に示すような突起形状２７ａ，２７ｂが設けられている。
【００１７】
２４，２５はそれぞれ表示ユニット３を取り付けた際にリモコンユニットのケーブル１６を通すための溝形状及びそれを保持するためストッパーであり、ストッパー２５は、回転軸部２６を中心として座面２８上において図の矢印方向に回動可能となっている。
【００１８】
次に、リモコンユニット２と表示ユニット３の取り付け方法を図７に示す。
【００１９】
リモコンユニット２の取り付け部２０を表示ユニット３の取り付け穴２３に押し込むと、取り付け穴２３の内側に設けられた突起部２７ａ，２７ｂをリモコンユニット２の取り付け部２０が乗り越えてロックが掛かり、リモコンユニット２と表示ユニット３が一体化される。
【００２０】
又、表示ユニット３に設けられた溝部２４にリモコンユニットのケーブル１６を通し、ストッパ−２５を図のα方向に回転させてケーブル１６を挟み込む。これによって、もし万が一リモコンユニット２を操作中に突起２４によるロックが外れてしまった場合でも、リモコンユニット２のケーブル１６がストッパー２５に引っ掛かり、表示ユニット３が床に落下するのを防ぐことができる。更に、リモコンユニット２のケーブル１６が表示ユニット３のケーブル２２と同一方向に固定されるため、操作の邪魔にならない。
【００２１】
以上のようにしてリモコンユニット２と表示ユニット３を一体化することにより、撮像装置１を遠隔操作する際には、リモコンユニット２に取り付けられた表示ユニット３によって現在撮影中の画像を確認しながら撮影を行うことができる（図８）。
【００２２】
又、撮像装置１を三脚に取り付けてパン棒によって操作する場合は、表示ユニット３をリモコンユニッ２から取り外すことにより、リモコンユニット２単体をパン棒に取り付けることができるので（図９）、表示ユニットが無い分小型化でき、操作を快適に行うことができるとともに、表示ユニットを持ち歩く必要がないため、形態性も向上する。
【００２３】
よって、本発明によれば、操作性及び形態性に優れたリモコン・表示ユニットを提供することができる。
【図面の簡単な説明】
【００２４】
【図１】本発明の構成図である。
【図２】本発明の実施の形態におけるリモコンユニットの正面図である。
【図３】本発明の実施の形態におけるリモコンユニットの背面図である。
【図４】本発明の実施の形態における表示ユニットの正面図である。
【図５】本発明の実施の形態における表示ユニットの背面図である。
【図６】図５に示す表示ユニットの取り付け穴周辺の拡大図である。
【図７】本発明の実施の形態においてリモコンユニットに表示ユニットを取り付ける場合の取り付け方法を示した図である。
【図８】本発明の実施の形態において撮像装置をリモコンによって遠隔操作する場合を示した図である。
【図９】本発明の実施の形態において撮像装置を三脚に固定し、パン棒を用いて操作する場合を示した図である。
【図１０】従来例において撮像装置を三脚に固定し、パン棒を用いて操作を行う場合を示した図である。
【符号の説明】
【００２５】
１    撮像装置
２    リモコンユニット
３    表示ユニット
４    撮像部
５    記録再生部
６    表示部
７    制御部
８    操作部
９    インタフェース
１０  操作部
１１  インタフェース
１２  表示部
１３  インタフェース
１４  記録釦
１５  ズーム釦
１６  ケーブル
１７  パン棒取り付け部
１８  パン棒
１９ａ  取り付けネジ
１９ｂ  取り付けネジ
２０  表示ユニットとの嵌合部
２１  表示パネル
２２  ケーブル
２３  リモコンユニットとの嵌合部
２４  溝形状
２５  ストッパー
２６  ストッパーの回転軸部
２７ａ  突起部
２７ｂ  突起部
２８  座面
１０１  撮像装置
１０２  フォーカスリング
１０３  三脚
１０４  パン棒
【図１】
2007060268.tif 000003
【図２】
2007060268.tif 000004
【図３】
2007060268.tif 000005
【図４】
2007060268.tif 000006
【図５】
2007060268.tif 000007
【図６】
2007060268.tif 000008
【図７】
2007060268.tif 000009
【図８】
2007060268.tif 000010
【図９】
2007060268.tif 000011
【図１０】
2007060268.tif 000012